(57)【要約】【課題】音楽等のコンテンツデータの出力先を自動的に切り替えることが可能な電子機器を実現する。【解決手段】パーソナルコンピュータ１０はオーディオデータを無線信号によってヘッドフォン２０に送信する。利用者がヘッドフォン２０を取り外したとき、パーソナルコンピュータ１０は、オーディオデータの出力先をヘッドフォン２０からスピーカ１７に自動的に切り替える。この切替え処理では、ヘッドフォン２０とパーソナルコンピュータ１０との間の無線接続を維持したままヘッドフォン２０へのオーディオデータの送信が停止される。ヘッドフォン２０を利用者が再び装着したならば、即座にオーディオデータの出力先をスピーカ１７からヘッドフォン２０に切り替えることができる。【選択図】　　図１
2004120652.tif 000002
【特許請求の範囲】
【請求項１】
利用者に装着可能な第１の出力装置に無線接続可能な電子機器において、
再生対象のコンテンツデータを、前記電子機器に無線接続された前記第１の出力装置に無線信号によって送信する手段と、
前記コンテンツデータの送信中に前記第１の出力装置が利用者から取り外されたことが前記第１の出力装置から前記電子機器に無線信号によって通知された場合、前記コンテンツデータの出力先を前記第１の出力装置から第２の出力装置に切り替える手段とを具備することを特徴とする電子機器。
【請求項２】
前記コンテンツデータの出力先を切り替える手段は、前記電子機器と前記第１の出力装置との間の無線接続を維持した状態で、前記コンテンツデータの出力先を前記第１の出力装置から第２の出力装置に切り替える手段を含むことを特徴とする請求項１記載の電子機器。
【請求項３】
前記コンテンツデータはオーディオデータを含み、
前記第１の出力装置および前記第２の出力装置はそれぞれオーディオデータに対応する音を発生するように構成されていることを特徴とする請求項１記載の電子機器。
【請求項４】
前記第１の出力装置は、前記電子機器との無線通信が可能なヘッドフォンであることを特徴とする請求項３記載の電子機器。
【請求項５】
前記コンテンツデータの出力先を前記第１の出力装置から前記第２の出力装置に切り替えた後に、前記第１の出力装置が利用者に装着されたことが前記第１の出力装置から前記電子機器に無線信号によって通知された場合、前記コンテンツデータの出力先を前記第２の出力装置から前記第１の出力装置に切り替える手段をさらに具備することを特徴とする請求項２記載の電子機器。
【請求項６】
前記コンテンツデータを前記第１の出力装置に送信している期間中に前記第１の出力装置が電源オフされた場合、前記第１の出力装置への前記コンテンツデータの送信を停止し、且つ前記第１の出力装置との間の無線接続を切断する手段をさらに具備することを特徴とする請求項１記載の電子機器。
【請求項７】
前記電子機器の動作モードを、前記コンテンツデータの出力先を前記第１の出力装置から前記第２の出力装置に切り替えることを許可する第１モードおよび前記切り替えを禁止する第２モードの一方に設定する手段をさらに具備することを特徴とする請求項１記載の電子機器。
【請求項８】
利用者に装着可能な第１の出力装置に無線接続可能な電子機器において、
再生対象のコンテンツデータを第２の出力装置に出力する手段と、
前記コンテンツデータを前記第２の出力装置に出力している期間中に前記第１の出力装置が利用者に装着されたことが前記第１の出力装置から前記電子機器に無線信号によって通知された場合、前記第２の出力装置への前記コンテンツデータの出力を停止し、且つ前記コンテンツデータを無線信号によって前記第１のコンテンツデータに送信する手段とを具備することを特徴とする電子機器。
【請求項９】
利用者に装着可能な第１の出力装置に無線接続可能な電子機器に適用され、再生対象のコンテンツデータの出力先を前記第１の出力装置と第２の出力装置との間で切り替える出力先切り替え方法であって、
前記コンテンツデータを、前記電子機器に無線接続された前記第１の出力装置に無線信号によって送信するステップと、
前記コンテンツデータの送信中に前記第１の出力装置が利用者から取り外されたことが前記第１の出力装置から前記電子機器に無線信号によって通知された場合、前記コンテンツデータの出力先を前記第１の出力装置から前記第２の出力装置に切り替えるステップとを具備することを特徴とする出力先切り替え方法。
【請求項１０】
前記コンテンツデータの出力先を切り替えるステップは、前記電子機器と前記第１の出力装置との間の無線接続を維持した状態で、前記コンテンツデータの出力先を前記第１の出力装置から前記第２の出力装置に切り替えるステップを含むことを特徴とする請求項９記載の出力先切り替え方法。
【請求項１１】
前記コンテンツデータはオーディオデータを含み、
前記第１の出力装置および前記第２の出力装置はそれぞれオーディオデータに対応する音を発生するように構成されていることを特徴とする請求項９記載の出力先切り替え方法。
【請求項１２】
前記第１の出力装置は、前記電子機器との無線通信が可能なヘッドフォンであることを特徴とする請求項１１記載の出力先切り替え方法。
【請求項１３】
前記コンテンツデータの出力先を前記第１の出力装置から前記第２の出力装置に切り替えた後に、前記第１の出力装置が利用者に装着されたことが前記第１の出力装置から前記電子機器に無線信号によって通知された場合、前記コンテンツデータの出力先を前記第２の出力装置から前記第１の出力装置に切り替えるステップをさらに具備することを特徴とする請求項１０記載の出力先切り替え方法。
【請求項１４】
前記コンテンツデータを前記第１の出力装置に送信している期間中に前記第１の出力装置が電源オフされた場合、前記第１の出力装置への前記コンテンツデータの送信を停止し、且つ前記第１の出力装置との間の無線接続を切断するステップをさらに具備することを特徴とする請求項９記載の出力先切り替え方法。
【請求項１５】
前記電子機器の動作モードを、前記コンテンツデータの出力先を前記第１の出力装置から前記第２の出力装置に切り替えることを許可する第１モードおよび前記切り替えを禁止する第２モードの一方に設定するステップをさらに具備することを特徴とする請求項９記載の出力先切り替え方法。
【請求項１６】
利用者に装着可能な第１の出力装置に無線接続可能な電子機器に適用され、再生対象のコンテンツデータの出力先を前記第１の出力装置と第２の出力装置との間で切り替える出力先切り替え方法であって、
再生対象のコンテンツデータを第２の出力装置に出力するステップと、
前記コンテンツデータを前記第２の出力装置に出力している期間中に前記第１の出力装置が利用者に装着されたことが前記第１の出力装置から前記電子機器に無線信号によって通知された場合、前記第２の出力装置への前記コンテンツデータの出力を停止し、且つ前記コンテンツデータを無線信号によって前記第１のコンテンツデータに送信するステップとを具備することを特徴とする出力先切り替え方法。
【発明の詳細な説明】
【０００１】
【発明の属する技術分野】
本発明はコンテンツデータを無線信号によって出力装置に送信可能な電子機器および同電子機器に適用されるコンテンツデータの出力先切り替え方法に関する。
【０００２】
【従来の技術】
近年、無線通信技術としてＢｌｕｅｔｏｏｔｈ（Ｒ）が注目されている。Ｂｌｕｅｔｏｏｔｈ（Ｒ）は低価格、低消費電力で、モバイル機器に適した、近距離の無線通信技術である。用途としては、ユーザ各個人個人が所有するさまざまなモバイル情報機器を相互に接続するために使われる。機器間は無線接続されるので、従来の有線による接続に比較して、自由、簡単、手軽に様々な機器同士を接続することができる。
【０００３】
無線通信を利用したシステムの１つとして、携帯型音楽プレーヤなどの電子機器から、ヘッドフォンなどの外部機器に対して音楽などを無線信号によって送信するシステムが知られている（例えば、特許文献１参照。）。
【０００４】
また、電話機能を持つ親機との無線通信を行う音声通話用ヘッドセットも知られている（例えば、特許文献２参照。）。この音声通話用ヘッドセットは利用者がその音声通話用ヘッドセットを装着したことを検出する装着検出部を備えており、その装着検出部からの検出信号を親機に通知することができる。親機の電話回線は、利用者が音声通話用ヘッドセットを装着したかどうかによってＯＮ／ＯＦＦされる。
【０００５】
【特許文献１】
特開２００２−１１２３８３号公報（第３−４頁）
【０００６】
【特許文献２】
特開２００２−５７７６５号公報（第４頁）
【０００７】
【発明が解決しようとする課題】
しかし、上記特許文献２のシステムにおいては、利用者が音声通話を終了する目的以外の他の何らかの都合で、ヘッドセットを取り外す場合があることについては考慮されていない。
【０００８】
音楽プレーヤなどの電子機器から無線信号によって送信される音楽をワイヤレスヘッドフォンで再生する無線通信システムにおいては、利用者がワイヤレスヘッドフォンで音楽を聴いている場合には外部からの音に疎くなる。このため、利用者は音楽再生を中止する目的ではなく、例えばインターホンに応答したり、電話の着信に応答する等の何らかの都合で、ワイヤレスヘッドフォンを一時的に取り外す場合がある。ワイヤレスヘッドフォンが非装着の間は、利用者は音楽を聴くことは出来ない。
【０００９】
よって、ワイヤレスヘッドフォンが取り外された後も、利用者が継続して音楽等のコンテンツデータを聴くことが可能な仕組みを実現することが望まれている。
【００１０】
本発明は上述の事情を考慮してなされたものであり、音楽等のコンテンツデータの出力先をワイヤレスヘッドフォン等の無線通信可能な出力装置と他の出力装置との間で自動的に切り替えることが可能な電子機器およびコンテンツデータの出力先切替え方法を提供することを目的とする。
【００１１】
【課題を解決するための手段】
上述の課題を解決するため、本発明は、利用者に装着可能な第１の出力装置に無線接続可能な電子機器において、再生対象のコンテンツデータを、前記電子機器に無線接続された前記第１の出力装置に無線信号によって送信する手段と、前記コンテンツデータの送信中に前記第１の出力装置が利用者から取り外されたことが前記第１の出力装置から前記電子機器に無線信号によって通知された場合、前記コンテンツデータの出力先を前記第１の出力装置から第２の出力装置に切り替える手段とを具備することを特徴とする。
【００１２】
この電子機器によれば、第１の出力装置にコンテンツデータを送信している期間中に第１の出力装置が利用者から取り外されると、コンテンツデータの出力先が自動的に第１の出力装置から第２の出力装置に切り替わる。よって、利用者は切替えのための操作を何等行うことなく、第１の出力装置を取り外した後も、音楽等のコンテンツデータを継続して聴くことができる。
【００１３】
【発明の実施の形態】
以下、図面を参照して本発明の実施の形態を説明する。
図１には、本発明の一実施形態に係る電子機器１０の構成が示されている。この電子機器１０は、音楽などのコンテンツデータを出力装置から出力させることが可能なコンテンツ再生装置である。ここでは、電子機器１０をパーソナルコンピュータによって実現した場合を想定する。
【００１４】
このパーソナルコンピュータ１０は、例えばノートブックタイプのホータブルコンピュータから構成されている。パーソナルコンピュータ１０は、ワイヤレスヘッドフォン２０およびスピーカ１７の少なくとも一方に音楽等の再生対象のコンテンツデータを出力することができる。ワイヤレスヘッドフォン２０およびスピーカ１７は、それぞれ音楽等のオーディオデータを出力する出力装置として機能する。
【００１５】
パーソナルコンピュータ１０は、図示のように、システム制御部１１、オーディオプレーヤ１２、記憶装置１３、再生先切替部１４、無線通信デバイス１５、オーディオ出力部１６、スピーカ１７、および再生先切替え制御スイッチ１８を備えている。
【００１６】
システム制御部１１はパーソナルコンピュータ１０の動作を制御するために設けられたプロセッサであり、オーディオプレーヤ１２、再生先切替部１４、および無線通信デバイス１５等をそれぞれ制御する。オーディオプレーヤ１２は、記憶装置１３に記憶されている音楽等の再生対象のオーディオデータを再生して、オーディオデータのストリームを生成する。このオーディオデータのストリームは再生先切替部１４に送信される。
【００１７】
再生先切替部１４は、再生対象のオーディオデータを出力すべき出力装置である出力先（または再生先という）を、ワイヤレスヘッドフォン２０とスピーカ１７との間で自動的に切り替えるための切替え処理を実行する。
【００１８】
この切替え処理は、利用者がワイヤレスヘッドフォン２０を装着したかどうかに応じて自動的に実行される。ワイヤレスヘッドフォン２０の装着の有無は、ワイヤレスヘッドフォン２０からパーソナルコンピュータ１０に無線信号によって通知される。
【００１９】
オーディオデータをワイヤレスヘッドフォン２０から出力させる場合、再生対象のオーディオデータのストリームは無線通信デバイス１５を介してワイヤレスヘッドフォン２０に無線信号によって送信される。一方、オーディオデータをスピーカから出力させる場合、再生対象のオーディオデータのストリームはオーディオ出力部１６によってデジタル信号からアナログ信号に変換された後、スピーカ１７に送られる。
【００２０】
スピーカ１７はオーディオデータに対応する音を発生する出力装置であり、パーソナルコンピュータ１０の筐体内に設けられた内蔵スピーカ、またはパーソナルコンピュータ１０の筐体にケーブルを介して接続される外部スピーカから構成される。
【００２１】
無線通信デバイス１５は、ヘッドフォン２０との間の無線通信を実行するデバイスである。無線通信デバイス１５は例えばＢｌｕｅｔｏｏｔｈ（Ｒ）の規格に準拠した手順で無線通信を実行する。無線通信デバイス１５は、音楽等のオーディオデータを無線信号によってヘッドセット１に送信するために用いられる。
【００２２】
Ｂｌｕｅｔｏｏｔｈ（Ｒ）は近距離無線通信の規格である。Ｂｌｕｅｔｏｏｔｈ（Ｒ）においては、マスタとそれに無線接続された１以上のスレーブとの間で無線通信を実行するというマスタ・スレーブ形式が用いられている。
【００２３】
再生先切替え制御スイッチ１８は再生先切替部１４の動作モードを第１動作モードと第２動作モードのいずれか一方に設定するためのスイッチであり、利用者により操作可能に構成されている。第１動作モードは上述の切替え処理の自動実行を許可するモードであり、また第２動作モードは切替え処理の自動実行を禁止するモードである。
【００２４】
利用者が再生先切替え制御スイッチ１８を用いて再生先切替部１４の動作モードを第２動作モードに設定した場合には、たとえヘッドフォン２０が取り外されても出力先の切替えは行われない。これにより、例えば深夜などにおいては第２動作モードに予め設定しておくことにより、スピーカ１７から音が出力されることを未然に防止することが出来る。
【００２５】
ヘッドフォン２０は、パーソナルコンピュータ１０から無線信号によって送信されるオーディオデータに対応する音を発生する出力装置である。ヘッドフォン２０は利用者の頭部に装着可能に構成されている。
【００２６】
このヘッドフォン２０は、図示のように、ヘッドアーム１０１と、その両端にそれぞれ設けられた２つのパッド１０２，１０３とから構成されている。２つのパッド１０２，１０３にはそれぞれスピーカが内蔵されている。
【００２７】
ヘッドフォン２０が利用者の頭部に装着された状態において、２つのパッド１０２，１０３は利用者の左右の耳をそれぞれ覆う。２つのパッド１０２，１０３それぞれの内面には、ヘッドフォン２０が利用者に装着されているか否かを検出するための装着検出部２１として、光センサが設けられている。
【００２８】
２つのパッド１０２，１０３の一方には発光部が設けられ、他方には受光部が設けられている。発光部と受光部とから構成される装着検出部２１は、発光部から受光部への光が遮断されたかどうかによってヘッドフォン２０が利用者に装着されたかどうかを検出する。
【００２９】
装着検出部２１としては、上述のような光センサを用いる代わりに、例えばヘッドアーム１０１の伸縮を検知するマイクロスイッチ等を用いることもできる。
【００３０】
パッド１０２の外面には、３つの操作スイッチ２２〜２４、すなわち電源ボタン２２、再生ボタン２３、および停止ボタン２４が設けられている。電源ボタン２２は、ヘッドフォン２０を電源オンまたは電源オフするための操作ボタンである。再生ボタン２３および停止ボタン２４はそれぞれオーディオの再生動作を制御するための操作ボタンである。
【００３１】
図２には、ヘッドフォン２０の内部構成が示されている。
ヘッドフォン２０には、上述の装着検出部２１、および操作スイッチ２２〜２４の他、システム制御部３１、無線通信デバイス３２、およびオーディオ再生部３３が設けられている。
【００３２】
システム制御部３１は、ヘッドセット２０の動作を制御するために設けられたプロセッサであり、無線通信デバイス３２、およびオーディオ再生部３３等をそれぞれ制御する。無線通信デバイス３２は、パーソナルコンピュータ１０の無線通信デバイス１５と同じく、Ｂｌｕｅｔｏｏｔｈ（Ｒ）の規格に準拠した手順で無線通信を実行する。
【００３３】
この無線通信デバイス３２は、パーソナルコンピュータ１０から無線信号によって送信される音楽等のオーディオデータを受信するために用いられる。また、無線通信デバイス３２は、装着検出部２１から出力される検出信号をパーソナルコンピュータ１０に送信する処理、および再生ボタン２３，停止ボタン２４の操作に応じて各種再生制御信号をパーソナルコンピュータ１０に送信する処理等にも利用される。
【００３４】
オーディオ再生部３３は、パーソナルコンピュータ１０から送信される音楽等のオーディオデータのストリームを無線通信デバイス３２およびシステム制御部３１を介して受信しながら、それをパッド１０２，１０３にそれぞれ内蔵されたスピーカ３４から音として出力可能な電気信号に変換するという、いわゆるストリーミング再生のためのデータ再生処理を実行する。
【００３５】
次に、図３を参照して、オーディオデータの出力先をヘッドフォン２０からパーソナルコンピュータ１０のスピーカ１７に切り替える動作について説明する。
【００３６】
パーソナルコンピュータ１０とヘッドフォン２０は既に無線接続されているものとする。パーソナルコンピュータ１０はマスタとして機能し、ヘッドフォン２０はパーソナルコンピュータ１０にスレーブとして無線接続されている。
【００３７】
（１）パーソナルコンピュータ１０は、オーディオデータを無線信号によってヘッドフォン２０に送信する。この場合、オーディオプレイヤ１２から出力されるオーディオデータは、再生先切替部１４を介して無線通信デバイス１５に送られる。無線通信デバイス１５は、それに無線接続されているヘッドフォン２０にオーディオデータを無線信号によって送信する。ヘッドフォン２０は、オーディオデータを受信しながら、それを再生する。
【００３８】
（２）利用者がヘッドフォン２０を頭部から取り外したとき、ヘッドフォン２０の装着検出部２１はヘッドフォン２０が取り外されたことを検出し、取り外し検出信号を発生する。この取り外し検出信号は、ヘッドフォン２０からパーソナルコンピュータ１０に無線信号によって送信される。
【００３９】
（３）パーソナルコンピュータ１０のシステム制御部１１は、無線通信デバイス１５を介して取り外し検出信号を受信すると、再生先切替部１４に切替指示を発行する。この切替指示は、オーディオデータの出力先を現在出力装置として使用されているヘッドフォン２０からスピーカ１７に切り替えることを指示する信号である。
【００４０】
（４）再生先切替部１４は、オーディオデータの出力先を現在出力装置として使用されているヘッドフォン２０からスピーカ１７に切り替える。この切替え処理は、パーソナルコンピュータ１０とヘッドフォン２０との間の無線接続を維持した状態で行われる。これは、利用者が再びヘッドフォン２０を装着したときに、出力先をヘッドフォン２０に即座に戻すことを実現するためである。Ｂｌｕｅｔｏｏｔｈ（Ｒ）のようなコネクション型の無線通信方式においては、機器間の無線接続の確立にはある一定の時間が必要となる。パーソナルコンピュータ１０とヘッドフォン２０との間の無線接続を維持した状態で切替え処理を行うという仕組みは、オーディオ再生を中断することなく、出力先をヘッドフォン２０に即座に戻すことができるという点で有効である。
【００４１】
すなわち、再生先切替部１４は、パーソナルコンピュータ１０とヘッドフォン２０との間の無線接続を切断せずに、ヘッドフォン２０へのオーディオデータの送信のみを停止する。そして、再生先切替部１４はオーディオデータをオーディオ出力部１６を介してスピーカ１７に送る。これにより、オーディオデータに対応する音が、スピーカ１７から出力される。
【００４２】
次に、図４を参照して、オーディオデータの出力先をパーソナルコンピュータ１０からヘッドフォン２０に切り替える動作について説明する。
【００４３】
パーソナルコンピュータ１０とヘッドフォン２０は既に無線接続されているものとする。パーソナルコンピュータ１０はマスタとして機能し、ヘッドフォン２０はパーソナルコンピュータ１０にスレーブとして無線接続されている。
【００４４】
（１）オーディオプレイヤ１２から出力されるオーディオデータは、再生先切替部１４およびオーディオ出力部１６を介してスピーカ１７に送られる。これにより、オーディオデータに対応する音が、スピーカ１７から出力される。
【００４５】
（２）利用者がヘッドフォン２０を頭部に装着したとき、ヘッドフォン２０の装着検出部２１はヘッドフォン２０が利用者に装着されたことを検出し、装着検出信号を発生する。この装着検出信号は、ヘッドフォン２０からパーソナルコンピュータ１０に無線信号によって送信される。
【００４６】
（３）パーソナルコンピュータ１０のシステム制御部１１は、無線通信デバイス１５を介して装着検出信号を受信すると、再生先切替部１４に切替指示を発行する。この切替指示は、オーディオデータの出力先を現在出力装置として使用されているスピーカ１７からヘッドフォン２０に切り替えることを指示する信号である。
【００４７】
（４）再生先切替部１４は、オーディオデータの出力先を現在出力装置として使用されているスピーカ１７からヘッドフォン２０に切り替える。この切替え処理においては、再生先切替部１４は、オーディオ出力部１６を介したスピーカ１７へのオーディオデータの出力を停止し、そして無線通信デバイス１５を用いてオーディオデータを無線信号によってヘッドフォン２０に送信する。ヘッドフォン２０は、オーディオデータを受信しながら、それを再生する。
【００４８】
次に、図５のフローチャートを参照して、パーソナルコンピュータ１０によって実行される具体的な処理手順について説明する。
【００４９】
まず、ヘッドフォン２０は電源オフされており、またパーソナルコンピュータ１０はヘッドフォン２０に無線接続されていない状態であるとする（ステップＳ１１１）。
【００５０】
利用者は、ヘッドフォン２０を頭部に装着し、そして電源ボタン２２を押す。これにより、ヘッドフォン２０は電源オンされる。ヘッドフォン２０が電源オンされると（ステップＳ１１２のＹＥＳ）、パーソナルコンピュータ１０の無線通信デバイス１５はヘッドフォン２０の存在を検出し、ヘッドフォン２０との間の無線接続を確立する（ステップＳ１１３）。
【００５１】
このステップＳ１１３では、パーソナルコンピュータ１０とヘッドフォン２０との間の物理的な無線接続（リンク）が確立されると共に、その間でＡＶ（オーディオ、ビデオ）データを送受信するための論理的な通信コネクション（例えば、Ａｄｖａｎｃｅｄ　Ａｕｄｉｏ　Ｄｉｓｔｒｉｂｕｔｉｏｎ　Ｐｒｏｆｉｌｅ（Ａ２ＤＰ））も確立される。パーソナルコンピュータ１０はマスタとして機能し、ヘッドフォン２０はスレーブとして機能する。
【００５２】
利用者が再生ボタン２３を押すと、ヘッドフォン２０からパーソナルコンピュータ１０に再生開始命令が送信される。再生開始命令を無線通信デバイス１５を介して受信すると（ステップＳ１１４のＹＥＳ）、パーソナルコンピュータ１０のシステム制御部１１は、オーディオプレーヤ１２、再生先切替部１４、無線通信デバイス１５を用いて、オーディオデータをヘッドフォン２０に再生させるための処理を開始する（ステップＳ１１５）。
【００５３】
オーディオプレーヤ１２はストリーミング再生のための処理を開始する。オーディオプレーヤ１２から出力されるオーディオデータは無線信号によってパーソナルコンピュータ１０からヘッドフォン２０に送信される。ヘッドフォン２０はオーディオデータを受信及び再生し、パッド１０２，１０３の各々に内蔵されたスピーカ３４からオーディオデータに対応する音を出力する。
【００５４】
オーディオデータの再生中において利用者が停止ボタン２４を押すと、再生中止命令がヘッドフォン２０からパーソナルコンピュータ１０に無線信号によって送信される。
【００５５】
再生停止命令を無線通信デバイス１５を介して受信すると（ステップＳ１１６のＹＥＳ）、パーソナルコンピュータ１０のシステム制御部１１は、パーソナルコンピュータ１０からヘッドフォン２０へのオーディオデータの送信を停止する（ステップＳ１１７）。オーディオプレーヤ１２によるオーディオデータの再生処理も停止される。パーソナルコンピュータ１０とヘッドフォン２０との間の無線接続は切断されずに、接続状態のまま維持される。
【００５６】
オーディオデータの再生中において利用者が電源ボタン２２を押してヘッドフォン２０を電源オフした場合には、ヘッドフォン２０の動作は停止される。ヘッドフォン２０からパーソナルコンピュータ１０には何等応答が返送されない。パーソナルコンピュータ１０のシステム制御部１１は、ヘッドフォン２０からの応答が一定期間以上継続して無いこと等を条件に、ヘッドフォン２０が電源オフされたと判断する（ステップＳ１１８のＹＥＳ）。
【００５７】
この場合、システム制御部１１は、パーソナルコンピュータ１０からヘッドフォン２０へのオーディオデータの送信を停止すると共に、ヘッドフォン２０との間の物理的な無線接続を切断する処理を行う（ステップＳ１１９）。オーディオプレーヤ１２によるオーディオデータの再生処理も停止される。
【００５８】
また、オーディオデータの再生中において利用者がヘッドフォン２０を取り外したとき、装着検出部２１は取り外し検出信号を発生する。この取り外し検出信号は、ヘッドフォン２０からパーソナルコンピュータ１０に無線信号によって送信される。パーソナルコンピュータ１０のシステム制御部１１は、無線通信デバイス１５を介して取り外し検出信号を受信すると（ステップＳ１２０のＹＥＳ）、ヘッドフォン２０が取り外されたことを検知し、切替え指示を再生先切替え部１４に送信する。
【００５９】
再生先切替え部１４は、その現在の動作モードが第１動作モードと第２動作モードのいずれであるかを判別する（ステップＳ１２１）。第１動作モードである場合、つまり切替え処理の実行が許可されている動作モードであれば（ステップＳ１２１のＹＥＳ）、再生先切替え部１４は、オーディオデータをスピーカ１７から出力させるために、オーディオデータの出力先をヘッドフォン２０からスピーカ１７に切り替える処理を実行する（ステップＳ１２２）。
【００６０】
このステップＳ１２２においては、パーソナルコンピュータ１０の無線通信デバイス１５とヘッドフォン２０の無線通信デバイス３２との間の無線接続は切断されず、パーソナルコンピュータ１０からヘッドフォン２０へのオーディオデータの送信が停止される。オーディオデータはオーディオ出力部１６を介してスピーカ１７に送られ、これによってスピーカ１７からオーディオデータに対応する音が発生される。
【００６１】
スピーカ１７からオーディオデータを出力している期間中において利用者が再びヘッドフォン２０を装着したとき、装着検出部２１は装着検出信号を発生する。この装着検出信号は、ヘッドフォン２０からパーソナルコンピュータ１０に無線信号によって送信される。パーソナルコンピュータ１０のシステム制御部１１は、無線通信デバイス１５を介して装着検出信号を受信すると（ステップＳ１２３のＹＥＳ）、ヘッドフォン２０が装着されたことを検知し、切替え指示を再生先切替え部１４に送信する。
【００６２】
再生先切替え部１４は、オーディオデータをヘッドフォン２０から出力させるために、オーディオデータの出力先をスピーカ１７からヘッドフォン２０に切り替える処理を実行する（ステップＳ１１５）。
【００６３】
このステップＳ１１５においては、パーソナルコンピュータ１０からヘッドフォン２０へオーディオデータが無線信号によって送信される。オーディオ出力部１６を介したスピーカ１７へのオーディオデータの供給は停止される。
【００６４】
以上のように、本実施形態のシステムによれば、ヘッドフォン２０が取り外された時に、オーディオデータの出力先をヘッドフォン２０からスピーカ１７に自動的に切り替わる。ヘッドフォン２０とパーソナルコンピュータ１０との間の無線接続を維持したままヘッドフォン２０へのオーディオデータの送信を停止しているので、ヘッドフォン２０を利用者が再び装着したならば、即座にオーディオデータの出力先をスピーカ１７からヘッドフォン２０に切り替えることが可能となる。
【００６５】
よって、オーディオデータの再生を中断することなく、その出力先をスムーズに切り替えることが可能となる。
【００６６】
なお、本実施形態においては、パーソナルコンピュータ１０から無線信号によって送信されるオーディオデータをヘッドフォン２０で再生する場合を想定したが、パーソナルコンピュータ１０からヘッドフォン２０に送信するコンテンツデータはオーディオデータに限られない。
【００６７】
例えば、ヘッドフォン２０がビデオモニタ等の表示装置を有している場合には、パーソナルコンピュータ１０から無線信号によって送信される映像データ等のコンテンツデータをヘッドフォン２０の表示装置で表示することも出来る。この場合、上記切替え処理によって、映像データの出力先を、表示装置付きのヘッドフォン２０とパーソナルコンピュータ１０のディスプレイモニタとの間で切り替えることが出来る。
【００６８】
また、本発明は、上記実施形態に限定されるものではなく、実施段階ではその要旨を逸脱しない範囲で種々に変形することが可能である。更に、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【００６９】
【発明の効果】
以上説明したように、本発明によれば、音楽等のコンテンツデータの出力先のスムーズな切替えを自動的に行うことが可能となる。
【図面の簡単な説明】
【図１】本発明の一実施形態に係る電子機器を用いた無線通信システムを示すブロック図。
【図２】図１の無線通信システムで用いられるヘッドフォンの機能構成を示すブロック図。
【図３】図１の無線通信システムにおいてオーディオデータの出力先をヘッドフォンからスピーカに切り替える処理を説明するための図。
【図４】図１の無線通信システムにおいてオーディオデータの出力先をスピーカからヘッドフォンに切り替える処理を説明するための図。
【図５】図１の無線通信システムで使用されるパーソナルコンピュータによって実行される切替え処理の具体的な手順を説明するフローチャート。
【符号の説明】
１０…パーソナルコンピュータ
１１，３１…システム制御部
１２…オーディオプレーヤ
１４…再生先切替え部
１５，３２…無線通信デバイス
１７…スピーカ
２０…ワイヤレスヘッドフォン
２１…装着検出部
【図１】
2004120652.tif 000003
【図２】
2004120652.tif 000004
【図３】
2004120652.tif 000005
【図４】
2004120652.tif 000006
【図５】
2004120652.tif 000007